(57)【要約】【課題】天井裏に設備ダクトを梁に邪魔されることなく自由に配置することができ、かつロングスパンを効率的に実現でき、しかもメンテナンスが容易で、振動性状も向上し、さらに鉄骨部材の耐火被覆を省略できる床組構造を提供する。【解決手段】ＰＣスラブ１の上側に上弦材として鉄骨部材２を配置する。また、ＰＣスラブ１と鉄骨部材２との間にラチス部材３と４をＰＣスラブ１の主応力方向と配力方向の二方向に互いに直交させてそれぞれ配置する。ＰＣスラブ１は複数のＰＣ板５から形成し、ＰＣ板５は互いに隣接させ、同一平面状に配置する。また、ラチス部材３の上端と下端、およびラチス部材４の上端と下端はＰＣスラブ１内の配力筋５ｂにそれぞれ溶接して連結する。【選択図】　　　　　　　　　　　図１
2004068313.tif 000002
【特許請求の範囲】
【請求項１】
プレキャストコンクリートスラブとその上側に上弦材として配置された鉄骨部材と、前記プレキャストコンクリートスラブと鉄骨部材との間に配置されたラチス部材とからなることを特徴とする床組構造。
【請求項２】
鉄骨部材とラチス部材は、プレキャストコンクリートスラブの主応力方向と配力方向の二方向にそれぞれ配置されてなることを特徴とする請求項１記載の床組構造。
【請求項３】
ラチス部材の上端は上弦材として配置された鉄骨部材に、前記ラチス部材の下端はプレキャストコンクリートスラブ内に配置された補強鉄筋または鉄骨部材にそれぞれ連結されてなることを特徴とする請求項１または２記載の床組構造。
【請求項４】
主応力方向と配力方向の少なくとも一方向に、プレストレスが導入されてなることを特徴とする請求項１〜３のいずれかに記載の床組構造。
【発明の詳細な説明】
【０００１】
【発明の属する技術分野】
本願発明は、天井裏の空間をダクトスペース等として自由に活用でき、しかも振動性状が非常に高く、かつ耐火被覆の不要な床組構造に関するものである。
【０００２】
【従来の技術および発明が解決しようとする課題】
ＲＣや鉄骨などからなるラーメン構造の建物の場合、床組は大ばりと小ばりで構成されているため、天井裏に設備ダクトを配置するには梁を貫通させる必要があり、このためダクトの形状や容量に制約を受け、これらの制約は空調効率を低下させる原因となっている。また、鉄骨構造の場合、梁などの鉄骨を耐火被覆する必要があった。
【０００３】
一方、ＲＣ系のフラットスラブ構造の場合、梁がないため天井裏に設備ダクトを自由に配置できるものの、スパンが大きくなるにつれて重量が増し、構造設計上不利になる等の課題があった。
【０００４】
本願発明は、以上の課題を解決するためになされたもので、天井裏に設備ダクトを梁に邪魔されることなく自由に配置することができ、かつロングスパンを効率的に実現でき、しかもメンテナンスが容易で、振動性状も向上し、さらに鉄骨部材の耐火被覆を省略できる床組構造を提供することを目的とする。
【０００５】
【課題を解決するための手段】
請求項１記載の床組構造は、プレキャストコンクリート（以下「ＰＣ」という）スラブとその上側に上弦材として配置された複数の鉄骨部材と、前記ＰＣスラブと鉄骨部材との間に配置された複数のラチス部材とからなることを特徴とするものである。
【０００６】
この場合、ＰＣスラブは複数のＰＣ板を互いに互いに接合して同一平面状に配置することにより形成することができる。また、特にＰＣスラブとせず、現場打ちコンクリートによるＲＣスラブとすることもできる。なお、ＰＣスラブの主応力方向には接合部のない連続するＰＣ板を用いるのがよい。
【０００７】
また、鉄骨部材として帯鋼またはＨ形鋼や溝形鋼などの形鋼を用いることができ、またラチス部材として鉄筋や帯鋼などを用いることができる。
【０００８】
請求項２記載の床組構造は、請求項１記載の床組構造において、鉄骨部材とラチス部材は、ＰＣスラブの主応力方向（短辺方向）と配力方向（長辺方向）の二方向に配置されてなることを特徴とするものである。鉄骨部材とラチス部材を二方向に配置することで床組の剛性を著しく高めることができ、これにより振動性状を向上させることができる。
【０００９】
請求項３記載の床組構造は、請求項１または２記載の床組構造において、ラチス部材の上端は上弦材として配置された鉄骨部材に、前記ラチス部材の下端はプレキャストコンクリートスラブ内に配置された鉄筋または鉄骨部材にそれぞれ連結されてなることを特徴とするものである。
【００１０】
請求項４記載の床組構造は、請求項１〜３のいずれかに記載の床組構造において、主応力方向と配力方向の少なくとも一方向に、プレストレスが導入されてなることを特徴とするものである。
【００１１】
この場合、プレストレスは床組の主応力方向（短辺方向）または配力方向（長辺方向）、あるいは主応力方向と配力方向の両方向に導入してもよい。また、プレストレスを導入する方法としては、プレキャストコンクリートスラブ内にＰＣ鋼線などの緊張材を挿通してプレストレス構造とする方法、プレキャストコンクリートスラブに沿わせてＰＣ鋼線などの緊弦材を架け渡す方法がある。
【００１２】
【発明の実施の形態】
図１〜図４はともに、本願発明に係る床組構造の一例を示し、図において、ＰＣスラブ１の上側に上弦材として鉄骨部材２がＰＣスラブ１の主応力方向と配力方向の二方向に互いに直交させて配置されている。
【００１３】
また、ＰＣスラブ１と鉄骨部材２との間にラチス部材３と４がＰＣスラブ１の主応力方向と配力方向の二方向に互いに直交させてそれぞれ配置されている。
【００１４】
ＰＣスラブ１は複数のＰＣ板５から形成され、ＰＣ板５は互いに隣接させて同一平面状に配置されている。この場合、各ＰＣ板５には主応力方向および配力方向ともに補強筋を配筋して形成されたＰＣ板（図２（ｂ），（ｃ）参照）、または主応力方向に補強筋を配筋し、配力方向には補強筋とともに鉄骨部材を埋設して形成されたＰＣ板（図４（ｂ），（ｃ）参照）が用いられている。
【００１５】
また、隣接する各ＰＣ板５，５どうしは、主応力方向にあっては各ＰＣ板５内に配筋された主筋５ａ，５ａどうしを、配力方向にあっては各ＰＣ板５内に配筋された配力筋５ｂ，５ｂどうしおよび各ＰＣ板５内に埋設された鉄骨部材５ｃ，５ｃどうしをそれぞれ、各ＰＣ板５，５どうしの突合せ部ハに形成された凹部５ｄ内において互いに連結することにより前後および左右に連続する平板状に接合されている。
【００１６】
さらに、互いに隣接して設置されたＰＣ板５，５のコンクリート内にＰＣ鋼線などの緊張材１１が主応力方向と配力方向の両方向に通して挿通することにより主応力方向と配力方向の二方向にプレストレスが導入されている。
【００１７】
なお、この場合の主筋５ａ，５ａどうしおよび配力筋５ｂ，５ｂどうしはカプラー等のジョイント金具６によって連結され、鉄骨部材５ｃ，５ｃどうしは接合プレート７ａと接合ボルト７ｂを用いてプレート接合されている。
【００１８】
また、各凹部５ｄには、主筋５ａ，５ａどうし、配力筋５ｂ，５ｂどうしおよび鉄骨部材５ｃ，５ｃどうしをそれぞれ連結した後、モルタルまたはコンクリート８が充填されている。
【００１９】
鉄骨部材２と鉄骨部材５ｃには帯鋼が用いられ、鉄骨部材２はＰＣスラブ１の主応力方向および配力方向の二方向に格子状に配置され、かつ各交差する部分において互いに溶接することにより接合されている。また、同一方向に連続する鉄骨部材２，２どうしは接合プレート７ａと接合ボルト７ｂを用いてプレート接合されている。
【００２０】
鉄骨部材５ｃはＰＣスラブ１の配力方向、すなわち配力筋５ｂの配筋方向に連続し、かつ主筋５ａの配筋方向に所定間隔おきに配置されている。
【００２１】
ラチス部材３はＰＣスラブ１の主応力方向、すなわち主筋５ａの連続方向に連続し、かつＰＣスラブ１の配力方向に所定間隔おきに配筋されている。また、ラチス部材３の上端は鉄骨部材２に、下端は主筋５ａにそれぞれ溶接することにより連結されている。
【００２２】
ラチス部材４はＰＣスラブ１の配力方向、すなわち配力筋５ｂの配筋方向に連続し、かつ主筋５ａの配筋方向に所定間隔おきに配筋されている。また、ラチス部材４の上端は鉄骨部材２に、下端は配力筋５ｂまたは鉄骨部材５ｃに溶接することによりそれぞれ連結されている。また、ラチス部材３と４はともに二重に配筋されている。
【００２３】
こうして床組９が構成され、この床組９の上に床パネル１０ａとパネル受け１０ｂとからなるフリーアクセスフロア１０が構成されている。なお、この場合、パネル受け１０ｂは鉄骨部材２の上に突設されている。
【００２４】
床組９がこのように構成されていることで、天井裏、すなわちＰＣスラブ１とフリーアクセスフロア１０との間には梁のない、充分に広い空間が確保されるため、設備ダクトなどを自由に配置することができる。
【００２５】
また、上弦材としての鉄骨部材２、およびラチス部材３と４がともに二方向に配置されているので、剛性の非常に高い床組とすることができて振動性状を向上させることができる。さらに、天井面はＰＣスラブで形成されているので、天井裏の鉄骨部材２、ラチス部材３、４ともにあえて耐火被覆する必要はない。
【００２６】
【発明の効果】
本願発明は以上説明したとおりであり、特にＰＣスラブとその上側に上弦材として配置された鉄骨部材と、前記ＰＣスラブと鉄骨部材との間に配置されたラチス部材とから構成されているので、天井裏に梁の無い広い空間を確保することができる。したがって、天井裏に設備ダクト等を梁に邪魔されることなく自由に配置することができ、またダクトの形状や容量に制約を受けることもなく、空調効率を低下させる心配もない。
【００２７】
鉄骨部材とラチス部材は、ＰＣスラブの主応力方向と配力方向の二方向に配置されていることにより剛性の非常に高い床組とすることができるため、床組の振動性状を著しく向上させることができ、高い居住性を確保することができる。
【００２８】
さらに、天井面はＰＣスラブで形成されているので、天井裏の鉄骨部材などをあえて耐火被覆する必要がなく、施工の省力化が図れる。
【図面の簡単な説明】
【図１】床組構造の一例を示す平面図である。
【図２】床組構造の一例を示し、（ａ），（ｂ）はそれぞれ、図１におけるイ−イ線断面図、ロ−ロ線断面図である。
【図３】床組構造の一例を示す平面図である。
【図４】床組構造の一例を示し、（ａ），（ｂ）はそれぞれ、図３におけるイ−イ線断面図、ロ−ロ線断面図である。
【符号の説明】
１　ＰＣスラブ
２　鉄骨部材
３　ラチス部材
４　ラチス部材
５　ＰＣ板
６　ジョイント金具
７ａ　接合プレート
７ｂ　接合ボルト
８　モルタルまたはコンクリート
９　床組
１０　フリーアクセスフロア
１０ａ　床パネル
１０ｂ　パネル受け
１１　緊張材
【図１】
2004068313.tif 000003
【図２】
2004068313.tif 000004
【図３】
2004068313.tif 000005
【図４】
2004068313.tif 000006